(57)【要約】      （修正有）【課題】年間スケジュール表記部と週間又は月間スケジュールの頁とを横に並べた状態に開いておくことができると共に、年間スケジュール表記部は、不使用時には折り畳んで仕舞っておくことができる。【解決手段】見開きに、１週間の予定を書き込むことができるようになした週間スケジュールの頁６を設けた手帳である。該手帳１において、見返し５の側縁部に、帯状の年間スケジュール表記部１２を連成する。該帯状の年間スケジュール表記部１２に、１年間の予定を書き込むことができる年間スケジュール１３を表記する。更に、該帯状の年間スケジュール表記部１２を、折目線１４から交互に折り返して蛇腹状に折り畳む。【選択図】図１
0003113667.tif 000002
【実用新案登録請求の範囲】
【請求項１】
見開きに、１週間の予定を書き込むことができるようになした週間スケジュール又は１ヶ月の予定を書き込むことができるようになした月間スケジュールの頁を設けた手帳において、該手帳における見返しの側縁部に、帯状の年間スケジュール表記部を連成し、該帯状の年間スケジュール表記部の上記週間スケジュール又は月間スケジュールと同じ側の面に、１年間の予定を書き込むことができる年間スケジュールを表記し、該帯状の年間スケジュール表記部を交互に折り返して蛇腹状に折り畳んだことを特徴とする手帳。
【請求項２】
手帳における見返しと帯状の年間スケジュール表記部とを一枚の用紙により形成し、見返しの側縁側の帯状の年間スケジュール表記部に年間スケジュールを表記するようになした請求項１記載の手帳。
【請求項３】
手帳における見返しと帯状の年間スケジュール表記部とを別体の用紙により形成し、見返しの側縁部に帯状の年間スケジュール表記部を接続するようになした請求項１記載の手帳。
【考案の詳細な説明】
【技術分野】
【０００１】
本考案は、見開きに、スケジュールを書き込むことができる頁を設けた手帳に関するものである。
【背景技術】
【０００２】
見開きに、１週間の予定を書き込むことができるようになした週間スケジュール又は１ヶ月の予定を書き込むことができるようになした月間スケジュールの頁を設けた手帳として、所謂ビジネス手帳やシステム手帳がある。
【０００３】
そしてまた、これらビジネス手帳やシステム手帳には、週間スケジュールや月間スケジュールの他に１年間の予定を書き込むことができる年間スケジュールの頁も設けられている。
【０００４】
そして、時には年間スケジュールと週間又は月間スケジュールとを一緒につき合わせて確認したり、記入したりする必要を生ずることがある。
しかし、斯かる年間スケジュールの頁は、週間スケジュールや月間スケジュールの頁と一緒に重なった状態で綴じ込まれているため、年間スケジュールの頁と週間又は月間スケジュールの頁とを同時に横に並べた状態にすることはできない。このため、夫々の頁を交互に開かなければならず、つき合わせて確認することができない。また、記入も面倒である。
【０００５】
ところで、ビジネス手帳やシステム手帳等の手帳にあっては、その表紙（表表紙・裏表紙）の内側に見返しが綴じ込まれているが、この部分は有効に活用されていない。
【考案の開示】
【考案が解決しようとする課題】
【０００６】
本考案は上記の点に鑑みなされたものであって、年間スケジュールを表記した帯状の年間スケジュール表記部と週間又は月間スケジュールの頁とを横に並べた状態に開いておくことができ、もって従来の上記問題点を悉く解消することができると共に、従来有効に活用されていなかった見返しを有効に活用することができるようになした手帳を提供せんとするものである。
【課題を解決するための手段】
【０００７】
而して、本考案の要旨とするところは、見開きに、１週間の予定を書き込むことができるようになした週間スケジュール又は１ヶ月の予定を書き込むことができるようになした月間スケジュールの頁を設けた手帳において、該手帳における見返しの側縁部に、帯状の年間スケジュール表記部を連成し、該帯状の年間スケジュール表記部の上記週間スケジュール又は月間スケジュールと同じ側の面に、１年間の予定を書き込むことができる年間スケジュールを表記し、該帯状の年間スケジュール表記部を交互に折り返して蛇腹状に折り畳んだことを特徴とする手帳にある。
【０００８】
また、上記構成における見返しに帯状の年間スケジュール表記部を連成する手段として、次の例を挙げることができる。
先ず、第１の手段は、手帳における見返しと帯状の年間スケジュール表記部とを一枚の用紙により形成し、見返しの側縁側の帯状の年間スケジュール表記部に年間スケジュールを表記するようになす場合であり、第２の手段は、手帳における見返しと帯状の年間スケジュール表記部とを別体の用紙により形成し、見返しの側縁部に帯状の年間スケジュール表記部を接続するようになす場合である。
【考案の効果】
【０００９】
本考案は上記の如き構成であるから、年間スケジュールを表記した帯状の年間スケジュール表記部と週間又は月間スケジュールの頁とを横に並べた状態に開いておくことができるものである。したがって、年間スケジュールと週間又は月間スケジュールとを一緒につき合わせて確認することができるものである。また、記入するときも、従来の如く夫々の頁を交互に開く必要がなく、且つまた従来にあっては該当する両方の頁を指で押さえて開く必要があるため、開いた頁は閉じた側の頁を押さえた指により浮き上がって斜めになるが、本願考案はこのようなことがなくなるから、手際よくスムーズに行うことができると共に書き易くなるものである。
【００１０】
また、帯状の年間スケジュール表記部は、これを必要としないときは折り畳んで他の頁と重ねて収納しておくことができ、携帯時において邪魔にならないものである。加えて、従来活用されていなかった見返しを、有効に活用することができるものである。
【考案を実施するための最良の形態】
【００１１】
本考案を実施するための最良の形態は、見開きに、１週間の予定を書き込むことができるようになした週間スケジュール又は１ヶ月の予定を書き込むことができるようになした月間スケジュールの頁を設けた手帳において、該手帳における見返しの側縁部に、帯状の年間スケジュール表記部を連成し、該帯状の年間スケジュール表記部の上記週間スケジュール又は月間スケジュールと同じ側の面に、１年間の予定を書き込むことができる年間スケジュールを表記し、該帯状の年間スケジュール表記部を交互に折り返して蛇腹状に折り畳んだことにある。
【実施例】
【００１２】
以下、本考案の実施例について説明する。
図１は本考案の実施例に係る手帳の開いた状態における斜視図、図２は週間スケジュールの頁の平面図、図３は見返しと帯状の年間スケジュールの部分の平面図である。
【００１３】
図中、１は手帳であり、表表紙２と裏表紙３と冊子４とからなり、該表表紙２と裏表紙３の内側には見返し５が綴じ込まれている。尚、図においては表表紙２側の見返しは省略している。
【００１４】
そしてまた、前記冊子４には、見開きに、１週間の予定を書き込むことができるようになした週間スケジュールの頁６が設けられている。また、該週間スケジュールの頁６には、月表示７と、１週間分の日付表示８と、曜日表示９と、時刻表示１０と、メモ欄１１とが設けられている。
【００１５】
１２は前記見返し５の側縁部に連成した帯状の年間スケジュール表記部である。尚、本実施例においては帯状の年間スケジュール表記部１２を裏表紙の内側の見返し部に連成しているが、表表紙の内側の見返し部に連成するようにしてもよい。また、本実施例においては、見返し５と帯状の年間スケジュール表記部１２とを一枚の用紙により形成し、見返し５の側縁側の帯状の年間スケジュール表記部１２に年間スケジュール１３を表記することにより、見返し５に帯状の年間スケジュール表記部１２を連成している。尚、図示はしないが、手帳における見返しと帯状の年間スケジュール表記部とを別体の用紙により形成し、見返しの側縁部に帯状の年間スケジュール表記部を接続するようになしてもよい。
【００１６】
尚、前記帯状の年間スケジュール表記部１２に表記した年間スケジュール１３は、前記週間スケジュールの頁６を開いたときにこれと同じ側の面、即ち裏表紙側の見返し部にあっては表側に、また表表紙側の見返し部にあってはその裏側に表記され、裏表紙側の見返し部にあっては見返し５に近い側を１月として、１２ヶ月分の年間スケジュールを横方向に表記し、１年間の予定を書き込むことができるようになしている。また、表表紙側の見返し部にあっては左端を１月とし、見返し５に近い側を１２月として、１２ヶ月分の年間スケジュールを横方向に表記し、１年間の予定を書き込むことができるようになしている。
【００１７】
そしてまた、前記帯状の年間スケジュール表記部１２は、交互に折り返して蛇腹状に折り畳むことができるようになしている。図において１４は折目線であり、該折目線１４から交互に反対側に折り返すものである。
【図面の簡単な説明】
【００１８】
【図１】本考案の実施例に係る手帳の開いた状態における斜視図である。
【図２】週間スケジュールの頁の平面図である。
【図３】見返しと帯状の年間スケジュールの部分の平面図である。
【符号の説明】
【００１９】
１  手帳
５  見返し
６  週間スケジュールの頁
１２  帯状の年間スケジュール表記部
１３  年間スケジュール
１４  折目線
【図１】
0003113667.tif 000003
【図２】
0003113667.tif 000004
【図３】
0003113667.tif 000005